(57)【要約】【課題】歪電力／キャリア電力比を監視することで、信号品質を保持しながらピーク電力の抑圧制御を行う。【解決手段】  ピーク電力抑圧機能を有するピーク電力抑圧手段において、瞬時電力を計算する電力算出手段１０３と、瞬時電力からピーク電力を検出するピーク電力検出手段１０４と、ピーク電力抑圧率を計算するピーク電力抑圧率算出手段１０５と、ピーク電力抑圧機能入力信号にピーク電力抑圧率を乗算しピーク電力抑圧信号を生成するピーク電力抑圧信号生成手段１０６と、ピーク電力抑圧機能入力信号のキャリア電力を計算するキャリア電力測定手段１０９と、ピーク電力抑圧信号から歪電力を計算する歪電力測定手段１１０と、歪電力とキャリア電力の比を計算する歪電力／キャリア電力比計算手段１１１と、歪電力とキャリア電力の比からＥＶＭ推定値を決定し、ＥＶＭ推定値とＥＶＭ規格値を比較することで閾値電力を制御する閾値電力制御手段１１２とを備える。【選択図】図３
2009253347.tif 000002
【特許請求の範囲】
【請求項１】
入力信号に存在するピーク電力を検出してピーク電力抑圧信号を生成し、入力信号に合成してピーク電力が抑圧された送信信号を生成するピーク電力抑圧手段と、
前記入力信号の電力を測定する第１の電力測定手段と、
前記ピーク電力抑圧信号の電力を測定する第２の電力測定手段と、
前記２つの電力測定手段により測定された２つの電力の比に基づいてピーク電力検出閾値を制御する閾値制御手段と、
を備えたことを特徴とする送信機。
【発明の詳細な説明】
【技術分野】
【０００１】
本発明は、Ｗ-ＣＤＭＡ(Wideband-Code Division Multiple Access：広帯域符号分割多重アクセス通信)方式やＯＦＤＭ(Orthogonal Frequency Division Multiplexing：直交周波数分割多重)方式等の移動体通信システムの送信機に係わり、特に送信信号に存在するピーク電力を抑圧してＰＡＰＲ(Peak-to-Average Power Ratio：ピーク対平均電力比)を低下させ電力効率を高めることのできる送信機に関するものである。
【背景技術】
【０００２】
従来の送信機は、送信信号に存在するピーク電力を抑圧してＰＡＰＲを低下させることで、電力効率を高めていた。特許文献１に開示の技術では、送信対象となる信号を送信するときに、送信対象となる信号のピークを判定するために送信対象信号レベル閾値電力と送信対象となる信号のピーク電力のレベルとの比に応じたピークファクタを生成し、生成したピークファクタを所定の窓関数により重み付けした結果をピーク抑圧係数として生成し、生成したピーク抑圧係数により送信対象となる信号のピーク電力レベルを抑圧することで、送信対象となる信号のＰＡＰＲの低減を行っている。
【０００３】
【特許文献１】特開２００５−２０５０５号公報
【発明の開示】
【発明が解決しようとする課題】
【０００４】
上記特許文献１に開示の技術では、送信機のピーク電力の抑圧と帯域外漏洩電力の低減を行うことができるので、電力効率を高められる。しかし、ピーク電力の抑圧は信号品質を劣化させるため、送信信号の変調精度、例えば理想波形と計測波形の差分であるエラー成分の大きさを表す尺度であるＥＶＭ(Error Vector Magnitude：エラー・ベクトル・マグニチュード)などの送信帯域内の無線特性として予め設定された規格値を監視することが必要である。このため、無線特性の規格値を満足するかを監視する機能を備えていないと、特定の信号で無線特性の規格値を満足するときでも、送信信号のピーク電力発生パターンが異なる別の信号で無線特性の規格値を満足しないことがあり、確実に無線特性に関わる信号品質を保証することができないという問題があった。
【０００５】
本発明はこのような状況に鑑みてなされたものであり、上記問題点を解決できる送信機及び送信機におけるピーク電力制御方法を提供することを目的とする。
【課題を解決するための手段】
【０００６】
本発明の送信機は、入力信号に存在するピーク電力を検出してピーク電力抑圧信号を生成し、入力信号に合成してピーク電力が抑圧された送信信号を生成するピーク電力抑圧手段と、前記入力信号の電力を測定する第１の電力測定手段と、前記ピーク電力抑圧信号の電力を測定する第２の電力測定手段と、前記２つの電力測定手段により測定された２つの電力の比に基づいてピーク電力検出閾値を制御する閾値制御手段と、を備えたことを特徴としている。
【発明の効果】
【０００７】
本発明の送信機は、無線特性の規格値を満足するか否かを監視する機能を備え、無線特性の規格値を満足するようにピーク電力の抑圧制御を行うので、信号品質を確実に保証できる送信機を提供できる。
【発明を実施するための最良の形態】
【０００８】
以下、本発明の実施の形態について図面を参照して説明する。
【０００９】
（実施の形態）
本発明の実施の形態で無線特性の規格値を満足するようにピーク電力を抑圧する送信機及び送信機におけるピーク電力制御方法について、図１に示す周波数スペクトル波形を用いて説明する。図１の周波数スペクトル波形は、横軸を周波数［MHz］とし、縦軸をそれぞれの成分の強さであるレベル［ｄＢ］として、信号の波形をグラフ化たものである。図１には、ピーク電力抑圧機能を有するピーク電力抑圧手段への入力信号であるピーク電力抑圧手段入力信号の周波数スペクトル波形と、ピーク電力の抑圧を行ったピーク電力抑圧成分(以下、歪成分という)であるピーク電力抑圧信号の周波数スペクトル波形とを重ね合わせ、表示されている。
【００１０】
図１の例に示す、１０ＭＨｚ帯域のＯＦＤＭ信号におけるピーク電力抑圧手段入力信号とピーク電力抑圧信号を重ねた周波数スペクトル波形において、後述する計算式(数５)で計算された歪電力とキャリア電力の比(以下、歪電力／キャリア電力比という)の値は約−３２[ｄＢ]である。
【００１１】
本発明の実施の形態では、歪電力／キャリア電力比を用いてＥＶＭの値を推定する。そして、そのＥＶＭ推定値に基づいて、ピーク電力を検出するときに使用する閾値電力を調整することで、ＥＶＭ規格値を満足するように、ピーク電力の抑圧を行う。
【００１２】
ピーク電力抑圧を行って信号のＰＡＰＲを低減している場合には、ＥＭＶ劣化の主な要因はピーク電力を抑圧することである。そして、送信帯域外に意図的に大きなレベルのピーク電力抑圧成分を出すようなピーク電力抑圧信号を生成しない限りは、歪電力／キャリア電力比とＥＶＭ推定値の対応を付けることができる。図２に歪電力／キャリア電力比とＥＶＭ推定値の対応表を示す。例えば歪電力／キャリア電力を１[ｄＢ]ステップとしたり、あるいはＥＶＭ推定値を０．１[％]ステップとして対応表を作成するとよい。これらのステップサイズを小さくするほどより精度のよい制御が可能となるが、メモリの容量を必要とするので、最適なステップサイズを選択するとよい。
【００１３】
次に、歪電力／キャリア電力比からＥＶＭ規格値を満足するようにピーク電力を抑圧する手順を示す。まず、例としてＥＶＭ規格値を２．５[％]に予め決定しておく（ＥＶＭ規格値は装置仕様に対して最適な値が選択される）。図２に示すようにＥＶＭ推定値がｂn(＝２．５)[％]に対応する歪電力／キャリア電力比は、ａｎ(＝−３２)[ｄＢ]である。従って、歪電力／キャリア電力比が−３２[ｄＢ]よりも大きくなると、ＥＶＭ推定値がＥＶＭ規格値より大きくなり、ＥＶＭ規格割れと判断される。このときに閾値電力を高くすると、歪電力／キャリア電力比が小さくなり、ＥＶＭ推定値をＥＶＭ規格値よりも小さくなるように制御できる。閾値電力の制御は、閾値電力を徐々に高くしてもよいし、また歪電力／キャリア電力比が−３２[ｄＢ]となる閾値電力を計算して設定してもよい。また、歪電力／キャリア電力比が−３２[ｄＢ]よりも小さくなるときは、ＥＶＭ推定値がＥＶＭ規格値より小さくなってマージンができるため閾値電力を小さくできる。閾値電力を小さくすることで送信信号のＰＡＰＲを低減することができ、電力効率を高めることができる。以上の方法で、ＥＶＭ推定値がＥＶＭ規格値となるように閾値電力を制御してピーク電力を抑圧する。
【００１４】
本発明の実施の形態である閾値電力を制御してＥＶＭ規格を保証することのできるピーク電力抑圧機能について、図３に示すピーク電力抑圧手段２００の機能ブロック図を用いて、以下説明する。
【００１５】
従来の実施の形態である送信機のピーク電力抑圧手段１００は、図５に示すように遅延調整第１手段１０１、遅延調整第２手段１０２、電力算出手段１０３、ピーク電力検出手段１０４、ピーク電力抑圧率算出手段１０５、ピーク電力抑圧信号生成手段１０６、Ｉ相信号合成手段１０７、Ｑ相信号合成手段１０８から構成されていた。本発明の実施の形態である送信機のピーク電力抑圧手段２００は、図３に示すように、従来の実施の形態である送信機のピーク電力抑圧手段１００の各手段と、キャリア電力測定手段１０９、歪電力測定手段１１０、歪電力／キャリア電力比計算手段１１１、閾値電力制御手段１１２とから構成されている。
【００１６】
遅延調整第１手段１０１はピーク電力抑圧手段２００への入力信号のＩ相成分とＱ相成分を入力し、その出力タイミングを所定時間だけ遅延させ、遅延させたＩ相成分信号をＩ相信号合成手段１０７に、遅延させたＱ相成分信号をＱ相信号合成手段１０８に出力する。
【００１７】
遅延調整第２手段１０２はピーク電力抑圧手段２００への入力信号のＩ相成分とＱ相成分を入力し、その出力タイミングを所定時間遅延させ、遅延させたＩ相成分信号とＱ相成分信号をピーク電力抑圧信号生成手段１０６に出力する。
【００１８】
電力算出手段１０３はピーク電力抑圧手段２００への入力信号のＩ相成分とＱ相成分を入力して１サンプルデータ毎の瞬時電力を計算し、ピーク電力検出手段１０４に出力する。
【００１９】
ピーク電力検出手段１０４は、電力算出手段１０３が計算した瞬時電力と閾値電力とを比較する。そして瞬時電力値が閾値電力以上であれば、ピーク電力検出手段１０４は当該サンプルをピーク電力であると判断する。また、ピーク電力検出手段１０４は、ピーク電力と判断した当該サンプルの瞬時電力をピーク電力抑圧率算出手段１０５に出力する。
【００２０】
ピーク電力抑圧率算出手段１０５は、ピーク電力を閾値電力レベルまで抑圧するための係数(以下、ピーク電力抑圧率)を計算し、ピーク電力抑圧信号生成手段１０６に出力する。
【００２１】
ピーク電力抑圧信号生成手段１０６は、遅延調整第２手段１０２から入力された信号のＩ相成分とＱ相成分に、ピーク電力抑圧率算出手段１０５で計算したピーク電力抑圧率を乗算し、歪成分であるピーク電力抑圧信号を生成する。そして生成したピーク電力抑圧信号のＩ相成分をＩ相信号合成手段１０７に、Ｑ相成分をＱ相信号合成手段１０８に出力し、更に、生成したピーク電力抑圧信号のＩ相成分とＱ相成分を歪電力測定手段１１０に出力する。
【００２２】
Ｉ相信号合成手段１０７は、遅延調整第１手段１０１出力のＩ相成分からピーク電力抑圧信号生成手段１０６出力のＩ相成分を減算し、出力する。
【００２３】
Ｑ相信号合成手段１０８は、遅延調整第１手段１０１出力のＱ相成分からピーク電力抑圧信号生成手段１０６出力のＱ相成分を減算し、出力する。
【００２４】
キャリア電力測定手段１０９は、遅延調整第１手段１０１から入力した信号の電力の一定時間における平均値(以下、キャリア電力という)を計算し、計算したキャリア電力を歪電力／キャリア電力比計算手段１１１に出力する。
【００２５】
歪電力測定手段１１０は、ピーク電力抑圧信号生成手段１０６から入力したピーク電力抑圧信号の電力の一定時間における平均値(以下、歪電力という)を計算し、計算した歪電力を歪電力／キャリア電力比計算手段１１１に出力する。
【００２６】
歪電力／キャリア電力比計算手段１１１は、前述した歪電力とキャリア電力の比である歪電力／キャリア電力比を計算し、閾値電力制御手段１１２に出力する。
【００２７】
閾値電力制御手段１１２は、図２に示す歪電力／キャリア電力比とＥＶＭ推定値の対応表を参照して、歪電力／キャリア電力比計算手段１１１で計算された歪電力／キャリア電力比からＥＶＭ推定値を取り出し、取り出したＥＶＭ推定値が予め決められているＥＶＭ規格値より大きいか小さいかを判定し、判定結果に基づいて閾値電力を制御する。
【００２８】
フラッシュメモリ１１３は、各手段で用いられるデータを記憶する書き換え可能な不揮発性メモリである。フラッシュメモリ１１３は、各手段からアクセスすることができる。初期値の閾値電力と、閾値電力制御手段１１２により書き替えられる閾値電力は、フラッシュメモリ１１３に記憶される。また、図２に示す歪電力／キャリア電力比とＥＶＭ推定値の対応表に示すデータは、フラッシュメモリ１１３に記憶される。
【００２９】
図４は、本発明の実施の形態における、ピーク電力抑圧処理の流れを示すフローチャートである。図４のフローチャートに示すステップ順に基づいて、ピーク電力抑圧処理を説明する。
【００３０】
(ステップＳ０)
まず、ピーク電力抑圧手段２００に入力されたＩ相成分信号とＱ相成分信号は、ステップＳ１で処理を行う遅延調整第１手段１０１、ステップＳ３で処理を行う遅延調整第２手段１０２、ステップＳ４で処理を行う電力算出手段１０３に出力される。
【００３１】
（ステップＳ１）
遅延調整第１手段１０１は、ピーク電力抑圧手段２００への入力信号のＩ相成分とＱ相成分の、遅延調整を行う。遅延調整第１手段１０１が出力した信号のＩ相成分とＱ相成分は、ステップＳ２でピーク電力抑圧手段入力信号の平均電力値を計算するキャリア電力測定手段１０９に出力される。また、遅延調整第１手段１０１が出力した信号のＩ相成分とＱ相成分は、ステップ８でピーク電力抑圧信号を減算させる処理を行うＩ相信号合成手段１０７、Ｑ相信号合成手段１０８に出力される。
【００３２】
(ステップＳ２)
キャリア電力測定手段１０９は、ステップＳ１の遅延調整第１手段から入力したピーク電力抑圧手段入力信号の一定区間の平均電力値であるキャリア電力を例えば下記(数１)により計算する。キャリア電力測定手段１０９は、計算したキャリア電力をステップＳ１０で歪電力／キャリア電力比を計算する歪電力／キャリア電力比計算手段１１１に出力する。
キャリア電力を計算する計算式の一例を（数１）に示す。
【００３３】
【数１】
2009253347.tif 000003
【００３４】
（ステップＳ３）
遅延調整第２手段１０２は、ピーク電力抑圧手段２００への入力信号のＩ相成分とＱ相成分の、遅延調整を行う。遅延調整第２手段１０２が出力した信号のＩ相成分とＱ相成分は、ステップＳ７でピーク電力抑圧信号を生成するピーク電力抑圧信号生成手段１０６に出力される。
【００３５】
(ステップＳ４)
電力算出手段１０３は、ピーク電力抑圧手段入力信号のＩ相成分とＱ相成分から、サンプル毎の瞬時電力を例えば下記(数２)により計算する。電力算出手段１０３が計算した瞬時電力は、ステップＳ５で瞬時電力が閾値電力以上かを判断するピーク電力検出手段１０４に出力される。
瞬時電力の計算式の一例を（数２）に示す。
【００３６】
【数２】
2009253347.tif 000004
【００３７】
（ステップＳ５）
ピーク電力検出手段１０４は、フラッシュメモリ１１３から閾値電力を取り出す。そして、ピーク電力検出手段１０４は、ステップＳ４の電力算出手段１０３から入力した瞬時電力が、取り出した閾値電力以上であるか否かを判断する。ピーク電力検出手段１０４が、瞬時電力が閾値電力以上であると判断したときは、当該瞬時電力はピーク電力となるので、ステップＳ６でピーク電力抑圧率を計算するピーク電力抑圧率算出手段１０５に当該瞬時電力を出力する。
【００３８】
（ステップＳ１６）
ピーク電力検出手段１０４が、ステップＳ５において瞬時電力が閾値電力より小さいと判断したときはステップＳ１６に進み、当該瞬時電力はピーク電力とならないので、ピーク電力の抑圧を行う必要はないため、ピーク電力抑圧率を０として、ステップＳ７でピーク電力抑圧信号を生成するピーク電力抑圧信号生成手段１０６に出力する。
【００３９】
（ステップＳ６）
ピーク電力抑圧率算出手段１０５は、ステップＳ５において瞬時電力が閾値電力以上のときステップＳ６に進み、ピーク電力検出手段１０４からピーク電力を入力する。また、ピーク電力抑圧率算出手段１０５は、フラッシュメモリ１１３から閾値電力を取り出す。ピーク電力抑圧率算出手段１０５は、ピーク電力と閾値電力からピーク電力抑圧率を例えば下記(数３)により計算し、ステップＳ７でピーク電力抑圧信号を生成するピーク電力抑圧信号生成手段１０６に出力する。
ピーク電力抑圧率の計算式の一例を（数３）に示す。
【００４０】
【数３】
2009253347.tif 000005
【００４１】
（ステップＳ７）
ピーク電力抑圧信号生成手段１０６は、ピーク電力抑圧手段入力信号のＩ相成分とＱ相成分とピーク電力抑圧率を乗算し、歪成分であるピーク電力抑圧信号のＩ相成分とＱ相成分を生成し、ステップＳ８でピーク電力抑圧信号を減算するＩ相信号合成手段１０７とＱ相信号合成手段１０８、及びステップＳ９で平均電力値を計算する歪電力測定手段１１０に出力する。
【００４２】
（ステップＳ８）
Ｉ相信号合成手段１０７は、遅延調整第１手段のＩ相成分から、ピーク電力抑圧信号のＩ相成分を減算し、出力する。Ｑ相信号合成手段１０８は、遅延調整第１手段のＱ相成分から、ピーク電力抑圧信号のＱ相成分を減算し、出力する。
【００４３】
(ステップＳ９)
歪電力測定手段１１０は、ステップＳ７で生成したピーク電力抑圧信号から、その一定区間の平均電力値である歪電力を例えば下記(数４)により計算する。歪電力測定手段１１０は、計算した歪電力をステップＳ１０で歪電力／キャリア電力比を計算する歪電力／キャリア電力比計算手段１１１に出力する。
歪電力を計算する計算式の一例を（数４）に示す。
【００４４】
【数４】
2009253347.tif 000006
【００４５】
(ステップＳ１０)
歪電力／キャリア電力比計算手段１１１は、入力されたキャリア電力と入力した歪電力から、歪電力／キャリア電力比を例えば下記(数５)により計算し、ステップＳ１１でＥＶＭ推定値を決定する閾値電力制御手段１１２に出力する。歪電力はキャリア電力と比較して非常に小さな値なので、計算結果はｄＢ値に変換すると制御しやすい。
歪電力／キャリア電力比を計算する計算式の一例を（数５）に示す。
【００４６】
【数５】
2009253347.tif 000007
【００４７】
(ステップＳ１１)
閾値電力制御手段１１２は、図２に示す歪電力／キャリア電力比とＥＶＭ推定値の対応表データをフラッシュメモリ１１３から取り出し、ＥＶＭ推定値の対応表データを参照して、入力された歪電力／キャリア電力比に対応するＥＶＭ推定値を決定する。例えば、歪電力／キャリア電力比がａn+1であれば、図２に示す歪電力／キャリア電力比とＥＶＭ推定値の対応表データの歪電力／キャリア電力比ａn+1に対応するＥＶＭ推定値はｂn+1となるので、ＥＶＭ推定値はｂn+1に決定される。
【００４８】
(ステップＳ１２)
次に閾値電力制御手段１１２は、ステップＳ１１で決定したＥＶＭ推定値が予め決められたＥＶＭ規格値より大きいか否かを判断する。閾値電力制御手段１１２は、ＥＶＭ推定値がＥＶＭ規格値より大きいと判断したときは、閾値電力を制御するステップＳ１３に進む。また、閾値電力制御手段１１２は、ＥＶＭ推定値がＥＶＭ規格値以下であると判断したときは、閾値電力を初期値に戻すステップＳ１４に進む。
【００４９】
(ステップＳ１３)
ステップＳ１２でＥＶＭ推定値がＥＶＭ規格値より大きいと判断されたので、閾値電力制御手段１１２は、閾値電力に予め決められている一定値を加算し閾値電力とする。
【００５０】
(ステップＳ１４)
ステップＳ１２で、ＥＶＭ推定値がＥＶＭ規格値以下であると判断された場合、閾値電力制御手段１１２は、閾値電力の初期値をフラッシュメモリ１１３から取り出し、取り出した閾値電力の初期値を閾値電力とする。
【００５１】
(ステップＳ１５)
閾値電力制御手段１１２は、ステップＳ１３またはステップＳ１４で決定した閾値電力をフラッシュメモリ１１３に記憶する。フラッシュメモリ１１３に記憶された閾値電力は、次のピーク電力抑圧信号を生成するステップＳ５のピーク電力検出手段１０４とステップＳ６のピーク電力抑圧率算出手段１０５で、演算のために取り出される。以後、ステップＳ０から繰り返し実行されて入力信号が連続して処理される。
【００５２】
このような実施の形態によれば、歪電力／キャリア電力比とＥＶＭは対応付けることができるので、歪電力／キャリア電力比に対応するＥＶＭ推定値を過去に測定したデータに基づいて予め決めておくことができる。そして、信号品質を保持するＥＶＭ規格値から、逆に歪電力／キャリア電力比を決めるようにする。この決められた歪電力／キャリア電力比となるように、ピーク電力の閾値電力を制御することで、ＥＶＭ規格値を保持できる送信機及び送信機におけるピーク電力制御方法を提供することができる。
【００５３】
上記実施例で説明したピーク電力抑圧手段２００は、送信機や送信増幅器その他通信装置一般に適用することができる。
【００５４】
以上をまとめると、本実施の形態は次のような特徴を有する。
（１） 本発明のピーク電力制御装置は、入力信号に存在するピーク電力を検出してピーク電力抑圧信号を生成し、入力信号に合成してピーク電力が抑圧された送信信号を生成するピーク電力抑圧手段と、前記入力信号の電力を測定する第１の電力測定手段と、前記ピーク電力抑圧信号の電力を測定する第２の電力測定手段と、前記２つの電力測定手段により測定された２つの電力の比に基づいてピーク電力検出閾値を制御する閾値制御手段と、を備えたことを特徴としている。
（２）本発明のピーク電力制御装置は、入力信号のキャリア電力を測定するキャリア電力測定手段と、ピーク電力抑圧信号生成手段により生成されたピーク電力抑圧信号の電力である歪電力を測定する歪電力測定手段と、前記キャリア電力と前記歪電力の比を計算する歪電力／キャリア電力比計算手段と、前記歪電力／キャリア電力比計算手段で計算された前記キャリア電力と前記歪電力の比に基づいて閾値電力を制御する閾値制御手段と、前記入力信号のピーク電力を抑圧した信号を生成するピーク電力抑圧手段と、を備えたことを特徴としている。
（３）本発明のピーク電力制御装置における前記閾値制御手段は、前記入力信号のＥＶＭの値が規格の範囲外となったときに、前記入力信号の前記ＥＶＭの値が規格の範囲内になるように閾値電力を制御することを特徴としている。
（４）（１）から（３）のいずれかの前記ピーク電力抑圧手段を備えた送信機であることを特徴としている。
（５）（１）から（３）のいずれかの前記ピーク電力抑圧手段を備えた送信増幅器であることを特徴としている。
（６）発明のピーク電力制御方法は、入力信号に存在するピーク電力を検出してピーク電力抑圧信号を生成し、入力信号に合成してピーク電力が抑圧された送信信号を生成するピーク電力抑圧工程と、前記入力信号の電力を測定する第１の電力測定工程と、前記ピーク電力抑圧信号の電力を測定する第２の電力測定工程と、前記２つの電力測定工程により測定された２つの電力の比に基づいてピーク電力検出閾値を制御する閾値制御工程と、を備えたことを特徴としている。
（７）本発明のピーク電力制御方法は、入力信号のキャリア電力を測定するキャリア電力測定工程と、ピーク電力抑圧信号生成工程により生成されたピーク電力抑圧信号の電力である歪電力を測定する歪電力測定工程と、前記キャリア電力と前記歪電力の比を計算する歪電力／キャリア電力比計算工程と、前記歪電力／キャリア電力比計算工程で計算された前記キャリア電力と前記歪電力の比に基づいて閾値電力を制御する閾値制御工程と、前記入力信号のピーク電力を抑圧した信号を生成するピーク電力抑圧工程と、を備えたことを特徴としている。
（８）本発明のピーク電力制御方法は、前記入力信号のＥＶＭの値が規格の範囲外となったときに、前記入力信号の前記ＥＶＭの値が規格の範囲内になるように閾値電力を制御することを特徴としている。
なお、本発明は上記実施の形態に限定されず、一般的に電力を制御する場合などにも適用可能である。
【産業上の利用可能性】
【００５５】
本発明は、送信機及び送信機におけるピーク電力制御方法に好適であるが、送信機及び送信機におけるピーク電力制御方法に限られるものではなく、信号による通信装置一般に適用可能である。
【図面の簡単な説明】
【００５６】
【図１】本発明の実施の形態に係るピーク電力抑圧機能における周波数スペクトル波形を説明する図である。
【図２】本発明の実施の形態に係る歪電力／キャリア電力比とＥＶＭ推定値の対応の一例を示す表である。
【図３】本発明の実施の形態に係わる送信機のピーク電力抑圧手段を示すブロック図である。
【図４】本発明の実施の形態に係わるピーク電力抑圧処理を示すフローチャートである。
【図５】従来の実施の形態に係わる送信機のピーク電力抑圧手段を示すブロック図である。
【符号の説明】
【００５７】
１００、２００・・ピーク電力抑圧手段
１０１・・・・・・遅延調整第１手段
１０２・・・・・・遅延調整第２手段
１０３・・・・・・電力算出手段
１０４・・・・・・ピーク電力検出手段
１０５・・・・・・ピーク電力抑圧率算出手段
１０６・・・・・・ピーク電力抑圧信号生成手段
１０７・・・・・・Ｉ相信号合成手段
１０８・・・・・・Ｑ相信号合成手段
１０９・・・・・・キャリア電力測定手段
１１０・・・・・・歪電力測定手段
１１１・・・・・・歪電力／キャリア電力比計算手段
１１２・・・・・・閾値電力制御手段
【図１】
2009253347.tif 000008
【図２】
2009253347.tif 000009
【図３】
2009253347.tif 000010
【図４】
2009253347.tif 000011
【図５】
2009253347.tif 000012